(57)【要約】【課題】写真画像の周縁を確実に検出できるＩＤカード作成装置を提供する。【解決手段】ＩＤカードを申請するための申請書３０は、光を透過させる透過部３２を有している。また、矩形状の顔写真３１が透過部３２内に貼付されている。そして、ＩＤカード作成装置１０は、申請書３０を搬送する搬送路１１と、申請書３０上の写真３１およびその周辺を撮像して、写真画像４１および写真周辺画像４２を含む広域画像４０を得る撮像手段１２と、広域画像４０に基づいて、写真画像４１の周縁４４を特定する周縁特定手段１７と、特定された写真画像４１の周縁４４に基づいて、写真画像４１をＩＤカｓードに印刷する印刷手段２１と、を備えている。ここで、申請書３０の透過部３２と搬送路１１の艶消し面１１ａとの組合せにより、低反射部３５が形成されており、低反射部３５に撮像側から光を照射した場合の光反射率は、申請書３０に貼付された顔写真３１の光反射率以下となっている。【選択図】図１
2011148111.tif 000002
【特許請求の範囲】
【請求項１】
写真画像が印刷されたＩＤカードを作成するＩＤカード作成方法において、
透過部を有する台紙であって、矩形状の写真が当該透過部の少なくとも一部と重なるよう貼付された台紙を支持台の艶消し面上に載置する工程と、
前記台紙上の写真およびその周辺を撮像して、写真画像および写真周辺画像を含む広域画像を得るとともに、前記広域画像を構成する複数の画素における輝度値を算出する撮像工程と、
前記広域画像の各画素の輝度値に基づいて、前記写真画像の周縁を特定する周縁特定工程と、
特定された前記写真画像の周縁に基づいて、写真画像をＩＤカードに印刷する印刷工程と、を備え、
前記台紙の透過部と前記支持台の艶消し面との組合せにより、台紙に貼付された写真の周辺に低反射部が形成され、当該低反射部に撮像側から光を照射した場合の光反射率は、写真に撮像側から光を照射した場合の光反射率以下となっており、
前記周縁特定工程は、前記広域画像の各画素の輝度値を二値化して、前記写真画像と前記写真周辺画像との境界線を判定する境界線判定工程と、判定された前記境界線に基づいて、写真画像の周縁を算出する周縁算出工程と、を有することを特徴とするＩＤカード作成方法。
【請求項２】
写真画像が印刷されたＩＤカードを作成するＩＤカード作成方法において、
艶消し部を有する台紙であって、矩形状の写真が当該艶消し部の少なくとも一部と重なるよう貼付された台紙を準備する工程と、
前記台紙上の写真およびその周辺を撮像して、写真画像および写真周辺画像を含む広域画像を得るとともに、前記広域画像を構成する複数の画素における輝度値を算出する撮像工程と、
前記広域画像の各画素の輝度値に基づいて、前記写真画像の周縁を特定する周縁特定工程と、
特定された前記写真画像の周縁に基づいて、写真画像をＩＤカードに印刷する印刷工程と、を備え、
前記台紙の艶消し部により、台紙に貼付された写真の周辺に低反射部が形成され、当該低反射部に撮像側から光を照射した場合の光反射率は、写真に撮像側から光を照射した場合の光反射率以下となっており、
前記周縁特定工程は、前記広域画像の各画素の輝度値を二値化して、前記写真画像と前記写真周辺画像との境界線を判定する境界線判定工程と、判定された前記境界線に基づいて、写真画像の周縁を算出する周縁算出工程と、を有することを特徴とするＩＤカード作成方法。
【請求項３】
写真画像が印刷されたＩＤカードを作成するＩＤカード作成方法において、
透過部を有する台紙であって、矩形状の写真が当該透過部の少なくとも一部と重なるよう貼付された台紙を支持台上に載置する工程と、
前記台紙上の写真およびその周辺を撮像して、写真画像および写真周辺画像を含む広域画像を得るとともに、前記広域画像を構成する複数の画素における輝度値を算出する撮像工程と、
前記広域画像の各画素の輝度値に基づいて、前記写真画像の周縁を特定する周縁特定工程と、
特定された前記写真画像の周縁に基づいて、写真画像をＩＤカードに印刷する印刷工程と、を備え、
前記支持台のうち前記台紙の透過部に対応する位置には貫通孔が形成され、
前記台紙の透過部と前記支持台の貫通孔との組合せにより、台紙に貼付された写真の周辺に低反射部が形成され、当該低反射部に撮像側から光を照射した場合の光反射率は、写真に撮像側から光を照射した場合の光反射率以下となっており、
前記周縁特定工程は、前記広域画像の各画素の輝度値を二値化して、前記写真画像と前記写真周辺画像との境界線を判定する境界線判定工程と、判定された前記境界線に基づいて、写真画像の周縁を算出する周縁算出工程と、を有することを特徴とするＩＤカード作成方法。
【請求項４】
前記撮像工程は、所定のガンマを用いて実施され、
輝度値のデジタル出力値の下限が０であるとき、当該ガンマは、前記写真画像の各画素の輝度値のうちの最小輝度値ＰＭが１以上となるよう調整されることを特徴とする請求項１乃至３のいずれかに記載のＩＤカード作成方法。
【請求項５】
前記ガンマは、前記写真画像の各画素の輝度値のうちの最小輝度値ＰＭが５以上となるよう調整されることを特徴とする請求項４に記載のＩＤカード作成方法。
【請求項６】
前記撮像工程は、第１ガンマおよび第２ガンマを用いてそれぞれ実施され、
前記第１ガンマは、前記第２ガンマよりも高輝度側に設定されており、
前記周縁特定工程は、前記第１ガンマを用いて得られる第１広域画像に基づいて、当該第１広域画像における写真画像の周縁を特定し、
前記印刷工程は、前記周縁特定工程からの情報に基づいて、前記第２ガンマを用いて得られる第２広域画像における写真画像をＩＤカードに印刷することを特徴とする請求項１乃至３のいずれかに記載のＩＤカード作成方法。
【請求項７】
前記低反射部は、台紙に貼付される矩形状の写真の四隅のうち少なくとも二隅に対応する位置に形成されていることを特徴とする請求項１乃至６のいずれかに記載のＩＤカード作成方法。
【請求項８】
前記低反射部は、台紙に貼付される矩形状の写真の四辺のうち少なくとも隣り合う二辺に対応する位置に形成されていることを特徴とする請求項１乃至６のいずれかに記載のＩＤカード作成方法。
【請求項９】
写真画像が印刷されたＩＤカードを作成するＩＤカード作成装置において、
透過部を有する台紙であって、矩形状の写真が当該透過部の少なくとも一部と重なるよう貼付された台紙を支持する支持台と、
前記台紙上の写真およびその周辺を撮像して、写真画像および写真周辺画像を含む広域画像を得るとともに、前記広域画像を構成する複数の画素における輝度値を算出する撮像手段と、
前記広域画像の各画素の輝度値に基づいて、前記写真画像の周縁を特定する周縁特定手段と、
特定された前記写真画像の周縁に基づいて、写真画像をＩＤカードに印刷する印刷手段と、を備え、
前記台紙の透過部と前記支持台の艶消し面との組合せにより、台紙に貼付された写真の周辺に低反射部が形成され、当該低反射部に撮像側から光を照射した場合の光反射率は、写真に撮像側から光を照射した場合の光反射率以下となっており、
前記周縁特定手段は、前記広域画像の各画素の画素値を二値化して、前記写真画像と前記写真周辺画像との境界線を判定する境界線判定部と、判定された前記境界線に基づいて、写真画像の周縁を算出する周縁算出部と、を有することを特徴とするＩＤカード作成装置。
【請求項１０】
写真画像が印刷されたＩＤカードを作成するＩＤカード作成装置において、
艶消し部を有する台紙であって、矩形状の写真が当該艶消し部の少なくとも一部と重なるよう貼付された台紙を支持する支持台と、
前記台紙上の写真およびその周辺を撮像して、写真画像および写真周辺画像を含む広域画像を得るとともに、前記広域画像を構成する複数の画素における輝度値を算出する撮像手段と、
前記広域画像の各画素の輝度値に基づいて、前記写真画像の周縁を特定する周縁特定手段と、
特定された前記写真画像の周縁に基づいて、写真画像をＩＤカードに印刷する印刷手段と、を備え、
前記台紙の艶消し部により、台紙に貼付された写真の周辺に低反射部が形成され、当該低反射部に撮像側から光を照射した場合の光反射率は、写真に撮像側から光を照射した場合の光反射率以下となっており、
前記周縁特定手段は、前記広域画像の各画素の画素値を二値化して、前記写真画像と前記写真周辺画像との境界線を判定する境界線判定部と、判定された前記境界線に基づいて、写真画像の周縁を算出する周縁算出部と、を有することを特徴とするＩＤカード作成装置。
【請求項１１】
写真画像が印刷されたＩＤカードを作成するＩＤカード作成装置において、
透過部を有する台紙であって、矩形状の写真が当該透過部の少なくとも一部と重なるよう貼付された台紙を支持する支持台と、
前記台紙上の写真およびその周辺を撮像して、写真画像および写真周辺画像を含む広域画像を得るとともに、前記広域画像を構成する複数の画素における輝度値を算出する撮像手段と、
前記広域画像の各画素の輝度値に基づいて、前記写真画像の周縁を特定する周縁特定手段と、
特定された前記写真画像の周縁に基づいて、写真画像をＩＤカードに印刷する印刷手段と、を備え、
前記支持台のうち前記台紙の透過部に対応する位置には貫通孔が形成され、
前記台紙の透過部と前記支持台の貫通孔との組合せにより、台紙に貼付された写真の周辺に低反射部が形成され、当該低反射部に撮像側から光を照射した場合の光反射率は、写真に撮像側から光を照射した場合の光反射率以下となっており、
前記周縁特定手段は、前記広域画像の各画素の画素値を二値化して、前記写真画像と前記写真周辺画像との境界線を判定する境界線判定部と、判定された前記境界線に基づいて、写真画像の周縁を算出する周縁算出部と、を有することを特徴とするＩＤカード作成装置。
【請求項１２】
前記撮像手段において、所定のガンマが用いられ、
輝度値のデジタル出力値の下限が０であるとき、当該ガンマは、前記写真画像の各画素の輝度値のうちの最小輝度値ＰＭが１以上となるよう調整されることを特徴とする請求項９乃至１１のいずれかに記載のＩＤカード作成装置。
【請求項１３】
前記ガンマは、前記写真画像の各画素の輝度値のうちの最小輝度値ＰＭが５以上となるよう調整されることを特徴とする請求項１２に記載のＩＤカード作成装置。
【請求項１４】
前記撮像手段において、第１ガンマおよび第２ガンマがそれぞれ用いられ、
前記第１ガンマは、前記第２ガンマよりも高輝度側に設定されており、
前記周縁特定手段は、前記第１ガンマを用いて得られる第１広域画像に基づいて、当該第１広域画像における写真画像の周縁を特定し、
前記印刷手段は、前記周縁特定手段からの情報に基づいて、前記第２ガンマを用いて得られる第２広域画像における写真画像をＩＤカードに印刷することを特徴とする請求項９乃至１１のいずれかに記載のＩＤカード作成装置。
【請求項１５】
前記低反射部は、台紙に貼付される矩形状の写真の四隅のうち少なくとも二隅に対応する位置に形成されていることを特徴とする請求項９乃至１４のいずれかに記載のＩＤカード作成装置。
【請求項１６】
前記低反射部は、台紙に貼付される矩形状の写真の四辺のうち少なくとも隣り合う二辺に対応する位置に形成されていることを特徴とする請求項９乃至１４のいずれかに記載のＩＤカード作成装置。
【発明の詳細な説明】
【技術分野】
【０００１】
本発明は、台紙に貼付された写真を撮像して、写真画像が印刷されたＩＤカードを作成するＩＤカード作成方法およびＩＤカード作成装置に関する。
【背景技術】
【０００２】
免許証などのＩＤカードには、ＩＤカード所有者の顔写真の画像が印刷されている場合がある。このようなＩＤカードを作成するＩＤカード作成装置として、はじめに、台紙に貼付された顔写真を撮像し、次に、得られた顔写真画像をプリンタでＩＤカード上に印刷し、これによって顔写真画像入りのＩＤカードを作成するＩＤカード作成方法およびＩＤカード作成装置が知られている。
【０００３】
ところで、台紙に貼付されている顔写真が、予め定められた貼付位置からずれた位置に貼付されている場合がある。このような状況において、予め定められた貼付位置を撮像し、これによって得られた画像をＩＤカードに印刷する場合、ＩＤカードの顔写真画像に写真エッジが現れることが考えられる。このような課題を解決するため、例えば特許文献１において、台紙上の写真およびその周辺を撮像して、写真画像を含む広域画像を得る画像読取手段と、当該画像読取手段により得られた広域画像から写真画像の周縁を検出する写真位置検出手段と、当該写真位置検出手段により検出された周縁に基づき写真画像を抽出する写真画像抽出手段と、を備えたＩＤカード作成装置が提案されている。しかしながら、特許文献１においては、広域画像から写真画像の周縁を検出するための具体的な方法が記載されていない。
【先行技術文献】
【特許文献】
【０００４】
【特許文献１】特開２００１−１８０１６０号公報
【発明の概要】
【発明が解決しようとする課題】
【０００５】
写真画像を含む広域画像から写真画像の周縁を検出する方法の１つとして、広域画像の色や濃度に関する情報から写真画像の周縁を検出する方法が挙げられる。しかしながら、この方法を用いる場合、写真の背景色や背景濃度と台紙の色や濃度との間の差が小さいと、写真画像の周縁の検出が困難になることが考えられる。
【０００６】
本発明は、このような課題を効果的に解決し得るＩＤカード作成方法およびＩＤカード作成装置を提供することを目的とする。
【課題を解決するための手段】
【０００７】
本発明による第１のＩＤカード作成方法は、透過部を有する台紙であって、矩形状の写真が当該透過部の少なくとも一部と重なるよう貼付された台紙を支持台の艶消し面上に載置する工程と、前記台紙上の写真およびその周辺を撮像して、写真画像および写真周辺画像を含む広域画像を得るとともに、前記広域画像を構成する複数の画素における輝度値を算出する撮像工程と、前記広域画像の各画素の輝度値に基づいて、前記写真画像の周縁を特定する周縁特定工程と、特定された前記写真画像の周縁に基づいて、写真画像をＩＤカードに印刷する印刷工程と、を備え、前記台紙の透過部と前記支持台の艶消し面との組合せにより、台紙に貼付された写真の周辺に低反射部が形成され、当該低反射部に撮像側から光を照射した場合の光反射率は、写真に撮像側から光を照射した場合の光反射率以下となっており、前記周縁特定工程は、前記広域画像の各画素の輝度値を二値化して、前記写真画像と前記写真周辺画像との境界線を判定する境界線判定工程と、判定された前記境界線に基づいて、写真画像の周縁を算出する周縁算出工程と、を有することを特徴とするＩＤカード作成方法である。
【０００８】
本発明による第２のＩＤカード作成方法は、艶消し部を有する台紙であって、矩形状の写真が当該艶消し部の少なくとも一部と重なるよう貼付された台紙を準備する工程と、前記台紙上の写真およびその周辺を撮像して、写真画像および写真周辺画像を含む広域画像を得るとともに、前記広域画像を構成する複数の画素における輝度値を算出する撮像工程と、前記広域画像の各画素の輝度値に基づいて、前記写真画像の周縁を特定する周縁特定工程と、特定された前記写真画像の周縁に基づいて、写真画像をＩＤカードに印刷する印刷工程と、を備え、前記台紙の艶消し部により、台紙に貼付された写真の周辺に低反射部が形成され、当該低反射部に撮像側から光を照射した場合の光反射率は、写真に撮像側から光を照射した場合の光反射率以下となっており、前記周縁特定工程は、前記広域画像の各画素の輝度値を二値化して、前記写真画像と前記写真周辺画像との境界線を判定する境界線判定工程と、判定された前記境界線に基づいて、写真画像の周縁を算出する周縁算出工程と、を有することを特徴とするＩＤカード作成方法である。
【０００９】
本発明による第３のＩＤカード作成方法は、透過部を有する台紙であって、矩形状の写真が当該透過部の少なくとも一部と重なるよう貼付された台紙を支持台上に載置する工程と、前記台紙上の写真およびその周辺を撮像して、写真画像および写真周辺画像を含む広域画像を得るとともに、前記広域画像を構成する複数の画素における輝度値を算出する撮像工程と、前記広域画像の各画素の輝度値に基づいて、前記写真画像の周縁を特定する周縁特定工程と、特定された前記写真画像の周縁に基づいて、写真画像をＩＤカードに印刷する印刷工程と、を備え、前記支持台のうち前記台紙の透過部に対応する位置には貫通孔が形成され、前記台紙の透過部と前記支持台の貫通孔との組合せにより、台紙に貼付された写真の周辺に低反射部が形成され、当該低反射部に撮像側から光を照射した場合の光反射率は、写真に撮像側から光を照射した場合の光反射率以下となっており、前記周縁特定工程は、前記広域画像の各画素の輝度値を二値化して、前記写真画像と前記写真周辺画像との境界線を判定する境界線判定工程と、判定された前記境界線に基づいて、写真画像の周縁を算出する周縁算出工程と、を有することを特徴とするＩＤカード作成方法である。
【００１０】
本発明のＩＤカード作成方法において、前記撮像工程は、所定のガンマを用いて実施され、輝度値のデジタル出力値の下限が０であるとき、当該ガンマは、前記写真画像の各画素の輝度値のうちの最小輝度値ＰＭが１以上となるよう調整されていてもよい。
【００１１】
本発明のＩＤカード作成方法において、前記ガンマは、前記写真画像の各画素の輝度値のうちの最小輝度値ＰＭが５以上となるよう調整されていてもよい。
【００１２】
本発明のＩＤカード作成方法において、前記撮像工程は、第１ガンマおよび第２ガンマを用いてそれぞれ実施されてもよい。この場合、前記第１ガンマは、前記第２ガンマよりも高輝度側に設定されている。また、前記周縁特定工程は、前記第１ガンマを用いて得られる第１広域画像に基づいて、当該第１広域画像における写真画像の周縁を特定し、前記印刷工程は、前記周縁特定工程からの情報に基づいて、前記第２ガンマを用いて得られる第２広域画像における写真画像をＩＤカードに印刷する。
【００１３】
本発明のＩＤカード作成方法において、前記低反射部は、台紙に貼付される矩形状の写真の四隅のうち少なくとも二隅に対応する位置に形成されていてもよい。
【００１４】
本発明のＩＤカード作成方法において、前記低反射部は、台紙に貼付される矩形状の写真の四辺のうち少なくとも隣り合う二辺に対応する位置に形成されていてもよい。
【００１５】
本発明による第１のＩＤカード作成装置は、透過部を有する台紙であって、矩形状の写真が当該透過部の少なくとも一部と重なるよう貼付された台紙を支持する支持台と、前記台紙上の写真およびその周辺を撮像して、写真画像および写真周辺画像を含む広域画像を得るとともに、前記広域画像を構成する複数の画素における輝度値を算出する撮像手段と、前記広域画像の各画素の輝度値に基づいて、前記写真画像の周縁を特定する周縁特定手段と、特定された前記写真画像の周縁に基づいて、写真画像をＩＤカードに印刷する印刷手段と、を備え、前記台紙の透過部と前記支持台の艶消し面との組合せにより、台紙に貼付された写真の周辺に低反射部が形成され、当該低反射部に撮像側から光を照射した場合の光反射率は、写真に撮像側から光を照射した場合の光反射率以下となっており、前記周縁特定手段は、前記広域画像の各画素の画素値を二値化して、前記写真画像と前記写真周辺画像との境界線を判定する境界線判定部と、判定された前記境界線に基づいて、写真画像の周縁を算出する周縁算出部と、を有することを特徴とするＩＤカード作成装置である。
【００１６】
本発明による第２のＩＤカード作成装置は、艶消し部を有する台紙であって、矩形状の写真が当該艶消し部の少なくとも一部と重なるよう貼付された台紙を支持する支持台と、前記台紙上の写真およびその周辺を撮像して、写真画像および写真周辺画像を含む広域画像を得るとともに、前記広域画像を構成する複数の画素における輝度値を算出する撮像手段と、前記広域画像の各画素の輝度値に基づいて、前記写真画像の周縁を特定する周縁特定手段と、特定された前記写真画像の周縁に基づいて、写真画像をＩＤカードに印刷する印刷手段と、を備え、前記台紙の艶消し部により、台紙に貼付された写真の周辺に低反射部が形成され、当該低反射部に撮像側から光を照射した場合の光反射率は、写真に撮像側から光を照射した場合の光反射率以下となっており、前記周縁特定手段は、前記広域画像の各画素の画素値を二値化して、前記写真画像と前記写真周辺画像との境界線を判定する境界線判定部と、判定された前記境界線に基づいて、写真画像の周縁を算出する周縁算出部と、を有することを特徴とするＩＤカード作成装置である。
【００１７】
本発明による第３のＩＤカード作成装置は、透過部を有する台紙であって、矩形状の写真が当該透過部の少なくとも一部と重なるよう貼付された台紙を支持する支持台と、前記台紙上の写真およびその周辺を撮像して、写真画像および写真周辺画像を含む広域画像を得るとともに、前記広域画像を構成する複数の画素における輝度値を算出する撮像手段と、前記広域画像の各画素の輝度値に基づいて、前記写真画像の周縁を特定する周縁特定手段と、特定された前記写真画像の周縁に基づいて、写真画像をＩＤカードに印刷する印刷手段と、を備え、前記支持台のうち前記台紙の透過部に対応する位置には貫通孔が形成され、前記台紙の透過部と前記支持台の貫通孔との組合せにより、台紙に貼付された写真の周辺に低反射部が形成され、当該低反射部に撮像側から光を照射した場合の光反射率は、写真に撮像側から光を照射した場合の光反射率以下となっており、前記周縁特定手段は、前記広域画像の各画素の画素値を二値化して、前記写真画像と前記写真周辺画像との境界線を判定する境界線判定部と、判定された前記境界線に基づいて、写真画像の周縁を算出する周縁算出部と、を有することを特徴とするＩＤカード作成装置である。
【００１８】
本発明のＩＤカード作成装置においては、前記撮像手段において、所定のガンマが用いられ、輝度値のデジタル出力値の下限が０であるとき、当該ガンマは、前記写真画像の各画素の輝度値のうちの最小輝度値ＰＭが１以上となるよう調整されていてもよい。
【００１９】
本発明のＩＤカード作成装置において、前記ガンマは、前記写真画像の各画素の輝度値のうちの最小輝度値ＰＭが５以上となるよう調整されていてもよい。
【００２０】
本発明のＩＤカード作成装置においては、前記撮像手段において、第１ガンマおよび第２ガンマがそれぞれ用いられてもよい。この場合、前記第１ガンマは、前記第２ガンマよりも高輝度側に設定されている。また、前記周縁特定手段は、前記第１ガンマを用いて得られる第１広域画像に基づいて、当該第１広域画像における写真画像の周縁を特定し、前記印刷手段は、前記周縁特定手段からの情報に基づいて、前記第２ガンマを用いて得られる第２広域画像における写真画像をＩＤカードに印刷する。
【００２１】
本発明のＩＤカード作成装置において、前記低反射部は、台紙に貼付される矩形状の写真の四隅のうち少なくとも二隅に対応する位置に形成されていてもよい。
【００２２】
本発明のＩＤカード作成装置において、前記低反射部は、台紙に貼付される矩形状の写真の四辺のうち少なくとも隣り合う二辺に対応する位置に形成されていてもよい。
【発明の効果】
【００２３】
本発明の第１のＩＤカード作成方法によれば、支持台の艶消し面上に載置される台紙は、透過部を有している。また矩形状の写真が、当該透過部の少なくとも一部と重なるよう台紙に貼付されている。この場合、台紙の透過部と、支持台の艶消し面との組合せにより、台紙に貼付された写真の周辺に低反射部が形成されており、当該低反射部に撮像側から光を照射した場合の光反射率は、写真に撮像側から光を照射した場合の光反射率以下となっている。このため、台紙上の写真およびその周辺を撮像して得られた写真画像および写真周辺画像を含む広域画像を二値化した場合、写真周辺画像に対応する領域が黒化領域となっている。この黒化領域に基づいて、写真画像の周縁を特定することができ、これによって、広域画像から写真画像を正確に抽出することが可能となる。このことにより、写真画像が正確に印刷されたＩＤカードを作成することができる。
【００２４】
本発明の第２のＩＤカード作成方法によれば、台紙は、艶消し部を有している。また矩形状の写真が、当該艶消し部の少なくとも一部と重なるよう台紙に貼付されている。この場合、台紙の艶消し部により、台紙に貼付された写真の周辺に低反射部が形成されており、当該低反射部に撮像側から光を照射した場合の光反射率は、写真に撮像側から光を照射した場合の光反射率以下となっている。このため、台紙上の写真およびその周辺を撮像して得られた写真画像および写真周辺画像を含む広域画像を二値化した場合、写真周辺画像に対応する領域が黒化領域となっている。この黒化領域に基づいて、写真画像の周縁を特定することができ、これによって、広域画像から写真画像を正確に抽出することが可能となる。このことにより、写真画像が正確に印刷されたＩＤカードを作成することができる。
【００２５】
本発明の第３のＩＤカード作成方法によれば、支持台上に載置される台紙は、透過部を有しており、また矩形状の写真が、当該透過部の少なくとも一部と重なるよう台紙に貼付されている。また支持台のうち前記台紙の透過部に対応する位置には貫通孔が形成されている。この場合、台紙の透過部と、支持台の貫通孔との組合せにより、台紙に貼付された写真の周辺に低反射部が形成されており、当該低反射部に撮像側から光を照射した場合の光反射率は、写真に撮像側から光を照射した場合の光反射率以下となっている。このため、台紙上の写真およびその周辺を撮像して得られた写真画像および写真周辺画像を含む広域画像を二値化した場合、写真周辺画像に対応する領域が黒化領域となっている。この黒化領域に基づいて、写真画像の周縁を特定することができ、これによって、広域画像から写真画像を正確に抽出することが可能となる。このことにより、写真画像が正確に印刷されたＩＤカードを作成することができる。
【図面の簡単な説明】
【００２６】
【図１】図１は、本発明の第１の実施の形態における申請書を撮像側から見た場合を示す図。
【図２】図２（ａ）（ｂ）（ｃ）（ｄ）は、本発明の第１の実施の形態において、透過部を跨ぐよう写真が貼付された申請書を作製する方法を示す図。
【図３】図３（ａ）は、本発明の第１の実施の形態におけるＩＤカード作成装置を示す図、図３（ｂ）は、ＩＤカード作成装置の搬送路上に載置された申請書を撮像側から見た場合を示す平面図。
【図４】図４は、本発明の第１の実施の形態におけるＩＤカード作成装置を示すブロック図。
【図５Ａ】図５Ａ（ａ）（ｂ）（ｃ）は、本発明の第１の実施の形態において、ＩＤカードを作成する手順を示す図。
【図５Ｂ】図５Ｂ（ａ）（ｂ）は、本発明の第１の実施の形態におけるガンマの変形例を示す図。
【図６Ａ】図６Ａ（ａ）（ｂ）（ｃ）は、本発明の第１の実施の形態における申請書の変形例を示す図。
【図６Ｂ】図６Ｂは、本発明の第１の実施の形態における搬送路の変形例を示す図。
【図７】図７は、本発明の第２の実施の形態におけるＩＤカード作成装置を示す図。
【図８】図８（ａ）（ｂ）は、本発明の第２の実施の形態において、写真画像の周縁を特定する手順を示す図。
【図９】図９（ａ）（ｂ）は、本発明の第３の実施の形態における申請書を撮像側から見た場合を示す図。
【図１０】図１０は、本発明の第３の実施の形態において、写真画像の周縁を特定する手順を示す図。
【図１１Ａ】図１１Ａ（ａ）（ｂ）（ｃ）は、本発明の第３の実施の形態における申請書の変形例を示す図。
【図１１Ｂ】図１１Ｂ（ａ）（ｂ）（ｃ）（ｄ）は、本発明の第３の実施の形態における申請書のその他の変形例を示す図。
【図１１Ｃ】図１１Ｃ（ａ）（ｂ）は、本発明の第３の実施の形態における申請書のその他の変形例を示す図。
【発明を実施するための形態】
【００２７】
第１の実施の形態
以下、図面を参照して、本発明の第１の実施の形態について説明する。はじめに図１を参照して、矩形状の顔写真３１が貼付された申請書（台紙）３０について説明する。
【００２８】
申請書
図１は、免許証などのＩＤカードを申請するための申請書３０を表面側（後述する撮像側）から見た場合を示す平面図である。図１に示すように、申請書３０には、ＩＤカード申請者の氏名、住所、生年月日などの個人情報３３ａと、被申請者側により付与されたＩＤ番号３３ｂとが記載されている。また図１に示すように、申請書３０は光を透過させる透過部３２を有しており、また、矩形状の顔写真３１が透過部３２内に貼付されている。
【００２９】
次に図２（ａ）（ｂ）（ｃ）（ｄ）を参照して、上述の申請書３０を形成する方法について説明する。図２（ａ）（ｂ）（ｃ）（ｄ）はそれぞれ、申請書３０を表面側から見た場合を示す平面図である。まず図２（ａ）に示すように、顔写真３１よりも一回り大きな形状を有する穴３４が形成された申請書３０を準備する。次に、図２（ｂ）に示すように、申請書３０の穴３４よりも一回り大きな形状を有する透過性シート３２ａを準備し、その後、申請書３０の穴３４を覆うよう申請書３０の裏面側から透過性シート３２ａを申請書３０に貼り付ける。これによって、図２（ｃ）に示すように、透過部３２を有する申請書３０が作製される。
【００３０】
その後、図２（ｄ）に示すように、顔写真３１を申請書３０の透過部３２上に貼付する。この場合、顔写真３１は、顔写真３１全体が透過部３２と重なるよう貼付されている。このようにして、図２（ｄ）に示すように、透過部３２を有する申請書３０であって、矩形状の顔写真３１が透過部３２と重なるよう貼付された申請書３０が作製される。
【００３１】
なお、図２（ｂ）に示す工程において、透過性シート３２ａを申請書３０に貼り付ける方法が特に限られることはなく、接着剤、粘着テープなどを適宜用いることができる。なお、接着剤を用いて透過性シート３２ａを申請書３０に貼り付ける場合、好ましくは、透過性シート３２ａのうち申請書３０に接する箇所にのみ接着剤が塗布され、透過性シート３２ａのうち穴３４に対応する箇所には接着剤が塗布されない。これによって、透過部３２の光透過率をより高くすることができる。すなわち、透過部３２の光反射率をより低くすることができる。
【００３２】
次に、図３および図４を参照して、申請書３０の顔写真３１を撮像するとともに、後述する写真画像４１が印刷されたＩＤカード６０を作成するＩＤカード作成装置１０について説明する。図３（ａ）は、ＩＤカード作成装置１０を示す図であり、図３（ｂ）は、ＩＤカード作成装置１０の搬送路１１上に載置された申請書３０を示す平面図である。図４は、ＩＤカード作成装置１０のうち、後述する撮像手段１２、周縁特定手段１７および印刷手段２１を示すブロック図である。
【００３３】
ＩＤカード作成装置
図３に示すように、ＩＤカード作成装置１０は、複数枚の申請書３０が積載された申請書トレイ２９と、申請書トレイ２９からの申請書３０を支持するとともに搬送する搬送路１１（支持台）と、申請書３０に記載されたＩＤ番号３３ｂを読み取る番号読取手段２５と、申請書３０上の顔写真３１およびその周辺を撮像して、写真画像４１および写真周辺画像４２を含む広域画像４０を得る撮像手段１２と、広域画像４０に基づいて、写真画像４１の周縁４４を特定する周縁特定手段１７と、特定された写真画像４１の周縁４４に基づいて、写真画像４１をＩＤカードに印刷する印刷手段２１と、を備えている。なお写真画像４１とは、申請書３０の顔写真３１をデジタル画像化することにより得られた画像のことである。同様に、写真周辺画像４２とは、透過部３２をデジタル画像化することにより得られた画像のことである。
【００３４】
番号読取手段２５は、図３に示すように、ＩＤ番号３３ｂなどを読み取るＯＣＲリーダ２５ａと、ＯＣＲリーダ２５ａからの情報を解読する解読部２５ｂとからなっている。解読部２５ｂにより解読されたＩＤ３３ｂなどに関する情報は、印刷手段２１に送られる。
【００３５】
またＩＤカード作成装置１０の撮像手段１２は、図３に示すように、申請書３０上の顔写真３１およびその周辺を撮像する撮像部１３と、撮像部１３近傍に設けられ、撮像部１３側（以下、撮像側）から申請書３０に光を照射する照明部１４とを有している。またＩＤカード作成装置１０は、図３に示すように、撮像手段１２の下流側に設けられ、申請書３０の記録情報を読み取るスキャナー２７と、スキャナー２７から排出された申請書３０を収容する申請書バケット２８と、をさらに備えている。
【００３６】
なお、本実施の形態におけるＩＤカード作成装置１０において、搬送路１１の撮像側の面は、艶消し処理が施された艶消し面１１ａからなっている。ここで、艶消し処理の方法が特に限られることはなく、艶消し剤による被覆などが適宜実施される。艶消し剤の例としては、例えば、シリカ、タルク、炭酸カルシウム、硫酸バリウム、珪酸カルシウムなどを挙げることができる。
【００３７】
図３（ｂ）は、搬送路１１の艶消し面１１ａ上に載置された申請書３０を撮像側から見た場合を示す平面図である。上述のように、申請書３０は、透過性シート３２ａからなる透過部３２を有している。このため、撮像手段１２の照明部１４から申請書３０に向かって照射された光は、申請書３０の透過部３２を透過して搬送路１１の艶消し面１１ａに到達する。ここで艶消し面１１ａには、上述のとおり艶消し処理が施されており、このため、艶消し面１１ａに到達した光の大半は、艶消し面１１ａにおいて吸収または散乱される。このため、艶消し面１１ａに到達した光が、再び申請書３０の透過部３２を透過して撮像手段１２に戻ることは殆どない。従って、撮影手段１２の撮像部１３により申請書３０上の顔写真３１およびその周辺を撮像した場合、撮像により得られた画像のうち申請書３０の透過部３２に対応する領域はほぼ黒色となる。このように、本実施の形態によるＩＤカード作成装置１０においては、申請書３０の透過部３２と搬送路１１の艶消し面１１ａとの組合せにより、低反射部３５が形成されている（図３（ｂ）参照）。
【００３８】
低反射部３５に撮像側から光を照射した場合の光反射率（撮像手段１２に戻ってくる光の比率）は、申請書３０の透過部３２における光透過率および光反射率と、搬送路１１の艶消し面１１ａにおける光反射率とを総合的に考慮することにより算出される。本実施の形態において、低反射部３５に撮像側から光を照射した場合の光反射率は、申請書３０に貼付された顔写真３１の暗部の光反射率以下となるよう適宜定められている。例えば、申請書３０に貼付された顔写真３１の暗部の光反射率が最小でも０．０１以上となっている場合、低反射部３５に撮像側から光を照射した場合の光反射率が０．０１以下（後述する反射濃度に換算すると、２以上）となるよう、透過部３２の透過性シート３２ａと搬送路の艶消し面１１ａとが適宜設計される。好ましくは、低反射部３５に撮像側から光を照射した場合の光反射率は０．００９６以下（後述する反射濃度に換算すると、２．０１８以上）となっており、さらに好ましくは０．００９以下（後述する反射濃度に換算すると、２．０４６以上）となっている。
なお、低反射部３５に撮像側から光を照射した場合の光反射率が上記の値に限られることはなく、申請書３０に貼付された顔写真３１の暗部の光反射率に応じて適宜設定される。
【００３９】
次に、図４を参照して、ＩＤカード作成装置１０の撮像手段１２、周縁特定手段１７および印刷手段２１についてそれぞれ詳細に説明する。
【００４０】
（撮像手段）
図４に示すように、撮像手段１２は、申請書３０上の顔写真３１およびその周辺を撮像して、写真画像４１および写真周辺画像４２を含む広域画像４０を得るとともに、広域画像４０を構成する複数の画素における輝度値を算出する撮像部１３を有している。また撮像手段１２は、図４に示すように、広域画像４０を構成する複数の画素における輝度値をデジタル値として算出する際のガンマを撮像部１３に与えるガンマ調整部１５をさらに有している。なおガンマとは、一般に、カメラやモニターに入力される信号の大きさと、カメラやモニターから出力される信号の大きさとの関係のことであり、本実施の形態においては、撮像部１３に入力される光量と、撮像部１３により算出される上述の輝度値との関係のことである。
本実施の形態において、ガンマは、申請書３０上の顔写真３１を適切な階調でデジタル画像化するよう調整されている。例えば、申請書３０に貼付された顔写真３１の暗部の反射濃度が最大でも２以下になると想定され、かつ、輝度値のデジタル出力値の下限が０、上限が２５５となっている場合、ガンマは、反射濃度Ｄが０〜２の画素における輝度値を直線的に０〜２５５として出力するよう設定されている（図５Ａ（ｂ）参照）。
ここで、光反射率をρで表す場合、反射濃度Ｄと光反射率ρとの間に以下の関係式が成立している。
【数１】
2011148111.tif 000003
従って、反射濃度Ｄが２であることは、光反射率ρが０．０１であることに相当する。
なお、光反射率ρは以下の式により定義される。
【数２】
2011148111.tif 000004
【００４１】
図４に示すように、撮像部１３において得られた広域画像４０は、周縁特定手段１７および印刷手段２１の双方に送られる。後述するように、周縁特定手段１７に送られた広域画像４０は、広域画像４０の写真画像４１の周縁４４を特定するためのデータとして用いられ、一方、印刷手段２１に送られた広域画像４０は、ＩＤカードに印刷される写真画像４１のための画像データとして用いられる。
【００４２】
（周縁特定手段）
次に周縁特定手段１７について説明する。周縁特定手段１７は、撮像手段１２からの広域画像４０の各画素の画素値を二値化して、写真画像４１と写真周辺画像４２との境界線４３を判定する境界線判定部１９と、判定された境界線４３に基づいて、写真画像４１の周縁４４を算出する周縁算出部１８と、を有している。図４に示すように、周縁算出部１８により算出された周縁４４に関する情報は印刷手段２１に送られる。
【００４３】
（印刷手段）
次に印刷手段２１について説明する。図４に示すように、印刷手段２１は、データ処理部２３とプリンタ２２とを有している。このうちデータ処理部２３は、周縁特定手段１７の周縁算出部１８から送られてくる写真画像４１の周縁４４に関する情報に基づいて、撮像手段１２の撮像部１３から送られてくる広域画像４０から、写真画像４１のみを抽出するものである。抽出された写真画像４１は、プリンタ２２によりＩＤカード６０上に印刷される。このようにして、写真画像４１および写真周辺画像４２を含む広域画像４０から写真画像４１のみが抽出され、そして写真画像４１がＩＤカード６０上に印刷される。
【００４４】
次に、このような構成からなる本実施の形態の作用について説明する。ここでは、図３乃至図５Ａを参照して、ＩＤカード作成装置１０によりＩＤカード６０を作成する手順について説明する。図５Ａ（ａ）は、写真画像４１の周縁４４を特定する手順を示す図であり、図５Ａ（ｂ）は、申請書３０の顔写真３１を撮像する際のガンマを示す図であり、図５Ａ（ｃ）は、写真画像４１が印刷されたＩＤカード６０を示す図である。
【００４５】
はじめに、図３（ａ）（ｂ）に示すように、透過部３２を有する申請書３０であって、矩形状の顔写真３１が透過部３２と重なるよう貼付された申請書３０を搬送路１１の艶消し面１１ａ上に載置する。次に、番号読取手段２５のＯＣＲリーダ２５ａにより、申請書３０のＩＤ番号３３ｂを読み取る。読み取られたＩＤ番号３３ｂに関する情報は、解読部２５ｂを介して印刷手段２１に送られる。
【００４６】
次に、撮像手段１２により、申請書３０上の顔写真３１およびその周辺を撮像する。この場合、はじめに、撮像手段１２の照明部１４により、申請書３０上の顔写真３１に向かって光が照射される。次に、撮像手段１２の撮像部１３により、申請書３０上の顔写真３１およびその周辺が撮像される。これによって、図５Ａ（ａ）に示すように、写真画像４１および写真周辺画像４２を含む広域画像４０が得られる。また撮像部１３により、広域画像４０を構成する複数の画素における輝度値が算出される。なお、輝度値を算出する際のガンマとして、図５Ａ（ｂ）に示すガンマが用いられる。
【００４７】
次に、図４に示すように、周縁特定手段１７により、広域画像４０の各画素の輝度値に基づいて、写真画像４１の周縁４４を特定する。この場合、はじめに、周縁特定手段１７の境界線判定部１９により、広域画像４０の各画素の輝度値を二値化する。これによって、二値化された広域画像４０ａが得られる。この際、二値化の閾値としては、写真画像４１における輝度値の最小値以下となるよう予め定められた所定の値が用いられる。本実施の形態においては、写真画像４１における輝度値の最小値が０（顔写真３１の暗部の反射濃度が最大でも２以下であることに相当）と想定されており、従って、二値化の閾値を０としている。この場合、輝度値が０である画素が、二値化により黒化され、一方、輝度値が１〜２５５の範囲内である画素が、二値化により白化される。
【００４８】
上述のように、低反射部３５の光反射率は０．０１以下となっており、このため、低反射部３５（透過部３２）をデジタル画像化してなる写真周辺画像４２の輝度値は全て０となっている。このため、図５Ａ（ａ）に示すように、写真周辺画像４２に対応する領域は黒化領域４２ａとなっている。なお、顔写真３１の暗部には、その反射濃度Dが２となっている部分が多少は存在すると考えられる。従って、本実施の形態においては、写真画像４１のうち黒髪の領域などの写真暗部において、その輝度値が０となっている場合がある。このため、図５Ａ（ａ）に示すように、二値化された広域画像４０ａには、写真暗部に対応する黒化領域４１ａも含まれている。
【００４９】
次に、二値化された広域画像４０ａに基づいて、周縁特定手段１７の境界線判定部１９により、写真画像４１と写真周辺画像４２との境界線４３が判定される。この場合、はじめに、二値化された広域画像４０ａから、写真周辺画像４２に対応する黒化領域４２ａが抽出される。次に、写真周辺画像４２に対応する黒化領域４２ａにおいて、二値化された広域画像４０ａの中心側に位置する端部が、写真画像４１と写真周辺画像４２との境界線４３として判定される。
なお、二値化された広域画像４０ａから写真周辺画像４２に対応する黒化領域４２ａを抽出するための方法が特に限られることはなく、画像処理の分野において一般に用いられている様々な手法を適宜利用することができる。同様に、写真周辺画像４２に対応する黒化領域４２ａにおいて、二値化された広域画像４０ａの中心側に位置する端部（直線部）を抽出するための方法が特に限られることはなく、画像処理の分野において一般に用いられている様々な手法を適宜利用することができる。例えば、ノイズのある画像の中から直線を検出する有効な手法として知られているハフ変換を利用することができる。
【００５０】
次に、境界線判定部１９によって判定された境界線４３に基づいて、周縁算出部１８により、写真画像４１の周縁４４が算出される。なお本実施の形態において、図５Ａ（ａ）に示すように、申請書３０に貼付された顔写真３１は、低反射部３５によって囲まれている。このため、本実施の形態において、図５Ａ（ａ）に示すように、写真画像４１と写真周辺画像４２との境界線４３は、写真画像４１の周縁４４と一致している。この場合、周縁算出部１８は、境界線４３を周縁４４として算出する。
【００５１】
その後、図４に示すように、算出された周縁４４に関する情報が、印刷手段２１のデータ処理部２３に送られる。データ処理部２３は、撮像手段１２の撮像部１３から送られてくる広域画像４０から、周縁４４に沿って写真画像４１のみを抽出する。その後、図５Ａ（ｃ）に示すように、プリンタ２２により、抽出された写真画像４１がＩＤカード６０上に印刷される。この際、図５Ａ（ｃ）に示すように、番号読取手段２５により読み取られたＩＤ番号３３ｂをＩＤカード６０上にさらに印刷してもよい。このようにして、写真画像４１などが印刷されたＩＤカード６０が作成される。
【００５２】
このように本実施の形態のＩＤカード作成装置１０によれば、搬送路１１の艶消し面１１ａ上に載置される申請書３０は、透過部３２を有している。また矩形状の顔写真３１が、透過部３２と重なるよう申請書３０に貼付されている。この場合、申請書３０の透過部３２と、搬送路１１の艶消し面１１ａとの組合せにより、申請書３０に貼付された顔写真３１の周辺に低反射部３５が形成されており、当該低反射部３５に撮像側から光を照射した場合の光反射率は、顔写真３１に撮像側から光を照射した場合の光反射率以下となっている。このため、申請書３０上の顔写真３１およびその周辺を撮像して得られた写真画像４１および写真周辺画像４２を含む広域画像４０を二値化した場合、写真周辺画像４２に対応する領域は黒化領域４２ａとなっている。この黒化領域４２ａに基づいて、写真画像４１の周縁４４を特定することができ、これによって、広域画像４０から写真画像４１を正確に抽出することが可能となる。このことにより、写真画像４１が正確に印刷されたＩＤカード６０を作成することができる。
【００５３】
なお本実施の形態において、申請書３０に貼付された顔写真３１の暗部の反射濃度が最大でも２以下になると想定されている場合に、ガンマが、反射濃度Ｄが０〜２の画素における輝度値を直線的に０〜２５５として出力するよう設定されている例を示した。すなわち、申請書３０に貼付された顔写真３１の暗部の反射濃度が、想定される最大値（＝２）となっている場合に、顔写真３１の暗部に対応する画素の輝度値が０となるようガンマが設定されている例を示した。
しかしながら、これに限られることはなく、図５B（ａ）に示すように、申請書３０に貼付された顔写真３１の暗部の反射濃度が想定される最大値（＝２）となっている場合に、顔写真３１の暗部に対応する画素の輝度値が１となるようガンマを設定してもよい。この場合、写真画像４１を閾値＝０で二値化すると、全ての領域が白化される。一方、低反射部３５の反射濃度は、上述のように２以上、好ましくは２．０１８以上となっており、このため、写真周辺画像４２を閾値＝０で二値化すると、全ての領域が白化される。このことにより、写真画像４１と写真周辺画像４２との境界線４３をより確実かつ容易に判定することが可能となる。
また、図５B（ｂ）に示すように、申請書３０に貼付された顔写真３１の暗部の反射濃度が想定される最大値（＝２）となっている場合に、顔写真３１の暗部に対応する画素の輝度値が２以上、例えば５となるようガンマを設定してもよい。この場合、二値化の閾値は、０と５の中間の値、例えば２と設定される。これによって、写真画像４１の全ての画素の輝度値をより確実に閾値より大きくすることができ、また、写真周辺画像４２の全ての画素の輝度値を確実に閾値より小さくすることができる。このことにより、写真画像４１と写真周辺画像４２との境界線４３をさらに確実かつ容易に判定することが可能となる。
なお、輝度値のデジタル出力値の上限が２５５（８ビットに相当）に限られることはなく、求められる解像度などに応じて、輝度値のデジタル出力値の上限を１２７（７ビットに相当）、５１１（９ビットに相当）などの様々な値に設定してもよい。
【００５４】
また本実施の形態において、申請書３０の穴３４を完全に覆うよう透過性シート３２ａが設けられ、これによって透過部３２が形成される例を示した。しかしながら、これに限られることはなく、図６Ａ（ａ）（ｂ）に示すように、顔写真３１が透過性シート３２ａによって支持され得る程度に、透過性シート３２ａにより穴３４の一部のみを覆ってもよい。この場合、図６Ａ（ａ）（ｂ）に示すように、透過性シート３２ａと、穴３４の貫通部分３４ａ（穴３４のうち透過性シート３２ａにより覆われていない部分）とにより透過部３２が形成される。また、当該透過部３２と、搬送路１１の艶消し面１１ａとの組合せにより、低反射部３５が形成される。ここで、図６Ａ（ａ）（ｂ）に示す低反射部３５に撮像側から光を照射した場合の光反射率は、図３（ｂ）に示す低反射部３５の場合と同様に、顔写真３１に撮像側から光を照射した場合の光反射率以下となっている。
【００５５】
また本実施の形態において、搬送路１１において、その撮像側の面に、艶消し処理が施された艶消し面１１ａが形成されている例を示した。しかしながら、これに限られることはなく、図６Bに示すように、搬送路１１のうち申請書３０の透過部３２に対応する位置に貫通孔１１ｂが形成されていても良い。この場合、搬送路１１の貫通孔１１ｂを挟んで撮像手段１２と対向する位置には、撮像手段１２の照明部１４から照射された後、申請書３０の透過部３２と搬送路１１の貫通孔１１ｂとを抜けてくる光を、撮像手段１２の撮像部１３に向かって反射させないための機構が設けられている。例えば、図６Ｂに示すように、搬送路１１の貫通孔１１ｂを挟んで撮像手段１２と対向する位置には、搬送路１１の搬送面に対して４５°傾斜した傾斜板３８が設けられている。この傾斜板３８の撮像側の面には、反射防止材３８ａが貼付されている。このため、撮像手段１２から、申請書３０の透過部３２と搬送路１１の貫通孔１１ｂとを抜けて来た光が、再び撮像手段１２に戻ることはない。このように、図６Bに示す形態においては、申請書３０の透過部３２と、搬送路１１の貫通孔１１ｂとの組合せにより低反射部３５が形成されている。そして、低反射部３５に撮像側から光を照射した場合の光反射率は、図３（ｂ）に示す低反射部３５の場合と同様に、顔写真３１に撮像側から光を照射した場合の光反射率以下となっている。
【００５６】
また本実施の形態において、申請書３０が透過部３２を有する例を示した。しかしながら、これに限られることはなく、図６Ａ（ｃ）に示すように、申請書３０が、艶消し処理が施された艶消し部３６を有していてもよい。この場合、図６Ａ（ｃ）に示すように、顔写真３１は艶消し部３６内に貼付されている。この場合、申請書３０の艶消し部３６により低反射部３５が形成されている。
【００５７】
図６Ａ（ｃ）に示す低反射部３５に撮像側から光を照射した場合の光反射率は、図３（ｂ）に示す低反射部３５の場合と同様に、顔写真３１に撮像側から光を照射した場合の光反射率以下となっている。すなわち、申請書３０の艶消し部３６には、このような光反射率を実現するような艶消し処理が施されている。艶消し部３６における艶消し処理の方法が特に限られることはなく、艶消し剤による被覆などが適宜実施される。艶消し剤の例としては、上述の搬送路１１の艶消し面１１ａの場合と同様に、例えば、シリカ、タルク、炭酸カルシウム、硫酸バリウム、珪酸カルシウムなどを挙げることができる。
【００５８】
図６Ａ（ｃ）に示す例によれば、上述のように、申請書３０は、艶消し処理が施された艶消し部３６を有している。このため、搬送路１１における光反射率に依らず、申請書３０に低反射部３５を形成することができる。
【００５９】
また本実施の形態において、印刷手段２１のデータ処理部２３により、周縁４４に沿って広域画像４０から写真画像４１のみが抽出される例を示した。しかしながら、これに限られることはなく、データ処理部２３は、広域画像４０から、周縁４４よりも内側で写真画像４１を抽出してもよい。
【００６０】
また本実施の形態において、矩形状の顔写真３１が申請書３０の透過部３２内に貼付されている例を示した。しかしながら、これに限られることはなく、任意の形状を有する顔写真を、申請書３０の透過部３２内に貼付することができる。この場合も、周縁特定手段１７により、写真画像４１の周縁４４を特定することができる。
【００６１】
第２の実施の形態
次に図７および図８を参照して、本発明の第２の実施の形態について説明する。ここで図７は、本発明の第２の実施の形態におけるＩＤカード作成装置を示す図であり、図８（ａ）（ｂ）は、本発明の第２の実施の形態において、写真画像の周縁を特定する手順を示す図である。
【００６２】
図７および図８に示す第２の実施の形態において、撮像手段１２による申請書３０上の顔写真３１およびその周辺の撮像は、第１ガンマおよび第２ガンマを用いてそれぞれ実施される。図７および図８に示す第２の実施の形態において、図１乃至図６Bに示す第１の実施の形態と同一部分には同一符号を付して詳細な説明は省略する。
【００６３】
はじめに、撮像手段１２による撮像の際のガンマについて説明する。上述のように、本実施の形態において、撮像手段１２による申請書３０上の顔写真３１およびその周辺の撮像は、第１ガンマおよび第２ガンマを用いてそれぞれ実施される。ここで、図８（ｂ）に示すように、第１ガンマは、第２ガンマよりも高輝度側に設定されている。なお図８（ｂ）に示す第２ガンマは、申請書３０上の顔写真３１を適切な階調でデジタル画像化するよう調整されたガンマであり、図５Ａ（ｂ）に示す第１の実施の形態におけるガンマと同一となっている。このため、撮像手段１２により第２ガンマを用いて得られる広域画像（第２広域画像）は、第１の実施の形態における広域画像４０と同一となっている。
【００６４】
好ましくは、第１ガンマは、顔写真３１がどのような暗部を含んでいる場合であっても、顔写真３１を撮像することにより得られる写真画像の各画素の輝度値が、二値化の際の閾値よりも大きくなるよう設定されている。例えば、図５B（ｂ）に示す第１の実施の形態の変形例の場合と同様に、第１ガンマは、顔写真３１の暗部に対応する画素の輝度値が５以上となるよう設定されている（図８（ｂ）参照）。なお、二値化の際の閾値は、第１ガンマを用いて得られる写真周辺画像における輝度値よりも大きくなるよう予め定められており、例えば、図５B（ｂ）に示す第１の実施の形態の変形例の場合と同様に、閾値＝２となっている。
【００６５】
次に、図７を参照して、本実施の形態におけるＩＤカード作成装置１０Ａについて説明する。
【００６６】
上述のように、撮像手段１２による申請書３０上の顔写真３１およびその周辺の撮像は、第１ガンマおよび第２ガンマを用いてそれぞれ実施される。この場合、ガンマ調整部１５は、はじめに、第１ガンマを撮像部１２に与える。撮像部１２は、ガンマ調整部１５から与えられた第１ガンマを用いて、申請書３０上の顔写真３１およびその周辺を撮像する。次に、ガンマ調整部１５は、第２ガンマを撮像部１２に与える。撮像部１２は、ガンマ調整部１５から与えられた第２ガンマを用いて、申請書３０上の顔写真３１およびその周辺を撮像する。このようにして、第１ガンマおよび第２ガンマを用いた撮像がそれぞれ実施される。なおガンマ調整部１５は、第１ガンマよりも先に第２ガンマを撮像部１２に与えてもよい。
【００６７】
図７に示すように、撮像部１３において第２ガンマを用いて得られた広域画像（以下、第２広域画像４０）は、印刷手段２１に送られる。一方、撮像部１３において第１ガンマを用いて得られた広域画像（以下、第１広域画像４５）は、周縁特定手段１７に送られる。以下、周縁特定手段１７により写真画像の周縁４９を特定する手順について、図８（ａ）を参照して説明する。
【００６８】
はじめに、第１ガンマを用いて得られた第１広域画像４５を、境界線判定部１９により二値化する。これによって、図８（ａ）に示すように、第１広域画像４５の各画素の輝度値が二値化された第１広域画像４５ａが得られる。この際、二値化の閾値としては、上述のように、第１広域画像４５の写真周辺画像における輝度値よりも大きくなるよう予め定められた所定の値が用いられている。また、第１ガンマは、上述のように、顔写真３１がどのような暗部を含んでいる場合であっても、顔写真３１を撮像することにより得られる写真画像の各画素の輝度値が、二値化の際の閾値よりも大きくなるよう設定されている。このため、第１広域画像４５ａにおける黒化領域は、第１広域画像４５の写真周辺画像に対応する黒化領域４７ａのみとなっている。このため、図５Ａ（ａ）に示す第１の実施の形態の場合に比べて、より容易かつ確実に、写真画像と写真周辺画像との境界線４８を判定することができる。このことにより、より容易かつ確実に、写真画像の周縁４９を算出することができる。
【００６９】
その後、図７に示すように、算出された周縁４９に関する情報が、周縁算出部１８から印刷手段２１のデータ処理部２３に送られる。データ処理部２３は、周縁算出部１８からの周縁４９に関する情報に基づいて、撮像手段１２の撮像部１３から送られてくる第２広域画像４０から、写真画像４１のみを抽出する。その後、プリンタ２２により、抽出された写真画像４１がＩＤカード６０上に印刷される。
【００７０】
このように本実施の形態によれば、撮像手段１２による申請書３０上の顔写真３１およびその周辺の撮像が、第１ガンマおよび第２ガンマを用いてそれぞれ実施される。ここで、第１ガンマは、第２ガンマよりも高輝度側に設定されている。また、周縁特定手段１７による写真画像の周縁４９の特定は、第１ガンマを用いた撮像により得られた第１広域画像４５に基づいて行われる。このため、周縁４９をより容易かつ確実に特定することができる。一方、印刷手段２１は、周縁特定手段１７からの周縁４９に関する情報に基づいて、第２ガンマを用いた撮像により得られた第２広域画像４０における写真画像４１を抽出するとともに、抽出された写真画像４１をＩＤカード６０上に印刷する。このように、ＩＤカード６０上に印刷される写真画像を撮像する際のガンマと、周縁を特定するために用いられる写真画像を撮像する際のガンマとを使い分けることにより、ＩＤカード６０上に印刷される写真画像の画質を劣化させることなく、写真画像の周縁の特定をより容易かつ確実にすることができる。
【００７１】
なお本実施の形態において、第２ガンマよりも高輝度側に設定されている第１ガンマにより撮像された第１広域画像に基づいて、周縁特定手段１７による写真画像の周縁が特定される例を示した。しかしながら、これに限られることはなく、照明部１４から照射される光の強度が通常よりも高められた条件で撮像される広域画像（以下、第３広域画像）に基づいて、周縁特定手段１７により写真画像の周縁を特定してもよい。この場合、照明部１４からの光の強度を高めることにより、第３広域画像の写真画像の各画素における輝度値が高輝度側にシフトされる。このため、第３広域画像を二値化した場合の黒化領域を、第３広域画像の写真周辺画像に対応する黒化領域のみとすることができる。このことにより、より容易かつ確実に写真画像の周縁を特定することができる。
【００７２】
第３の実施の形態
次に図９乃至図１１Cを参照して、本発明の第３の実施の形態について説明する。ここで図９（ａ）（ｂ）は、本発明の第３の実施の形態における申請書を撮像側から見た場合を示す図であり、図１０は、本発明の第３の実施の形態において、写真画像の周縁を特定する手順を示す図である。図１１Ａ（ａ）（ｂ）（ｃ）、図１１Ｂ（ａ）（ｂ）（ｃ）（ｄ）および図１１Ｃ（ａ）（ｂ）は、本発明の第３の実施の形態における申請書の変形例を示す図である。
【００７３】
図９乃至図１１Cに示す第３の実施の形態においては、低反射部が、申請書に貼付される矩形状の写真の四隅に対応する位置に形成されている点が異なるのみであり、他の構成は、図１乃至図６Bに示す第１の実施の形態と略同一である。図９乃至図１１Ａに示す第３の実施の形態において、図１乃至図６Bに示す第１の実施の形態と同一部分には同一符号を付して詳細な説明は省略する。
【００７４】
申請書
はじめに図９（ａ）（ｂ）を参照して、本実施の形態における申請書３０Ａについて説明する。図９（ａ）に示すように、申請書３０Ａは、申請書３０Ａに貼付された矩形状の顔写真３１の四隅とそれぞれ重なるよう形成された４つの透過部３２を有している。この場合、透過部３２は、図１に示す第１の実施の形態の場合と同様に、穴３４を覆う透過性シートにより形成されていてもよく、若しくは、図６Ａ（ａ）（ｂ）に示す第１の実施の形態の変形例の場合と同様に、穴３４の貫通部分により形成されていてもよい。
【００７５】
図９（ｂ）は、搬送路１１の艶消し面１１ａ上に載置された申請書３０Ａを示す図である。図３（ｂ）に示す第１の実施の形態の場合と同様に、申請書３０Ａの透過部３２と搬送路１１の艶消し面１１ａとの組合せにより、低反射部３５が形成されている。ここで、低反射部３５に撮像側から光を照射した場合の光反射率は、申請書３０Ａの透過部３２における光透過率および光反射率と、搬送路１１の艶消し面１１ａにおける光反射率とを総合的に考慮することにより算出される。低反射部３５に撮像側から光を照射した場合の光反射率は、申請書３０Ａに貼付された顔写真３１の暗部の光反射率以下となるよう適宜定められている。
【００７６】
次に、このような構成からなる本実施の形態の作用について説明する。ここでは、図１０を参照して、写真画像４１の周縁４４を特定する手順について説明する。
【００７７】
まず、申請書３０Ａ上の顔写真３１およびその周辺を撮像する。この場合、はじめに、照明部１４により、申請書３０Ａ上の顔写真３１に向かって光が照射される。次に、撮像部１３により、申請書３０Ａ上の顔写真３１およびその周辺が撮像される。これによって、図１０に示すように、写真画像４１および写真周辺画像４２を含む広域画像４０が得られる。この場合、図１０に示すように、写真画像４１の４隅にそれぞれ写真周辺画像４２が位置している。また撮像部１３により、広域画像４０を構成する複数の画素における輝度値が算出される。なお、撮像の際のガンマとしては、図５Ａ（ｂ）に示す第１の実施の形態の場合と同等のガンマが用いられる。
【００７８】
次に、周縁特定手段１７により、広域画像４０の各画素の輝度値に基づいて、写真画像４１の周縁４４を特定する。この場合、はじめに、周縁特定手段１７の境界線判定部１９により、広域画像４０の各画素の輝度値が二値化され、これによって二値化された広域画像４０ａが得られる。この際、二値化の閾値としては、写真周辺画像４２における輝度値よりも大きくなるよう予め定められた所定の値が用いられる。このため、図１０に示すように、写真周辺画像４２に対応する領域が黒化領域４２ａとなっている。また図１０に示すように、写真画像４１のうち黒髪の領域などの写真暗部に対応する領域も黒化領域４１ａとなっている。
【００７９】
次に、二値化された広域画像４０ａに基づいて、周縁特定手段１７の境界線判定部１９により、写真画像４１と写真周辺画像４２との境界線４３が判定される。この場合、はじめに、二値化された広域画像４０ａから、写真周辺画像４２に対応する黒化領域４２ａが抽出される。次に、写真周辺画像４２に対応する黒化領域４２ａにおいて、二値化された広域画像４０ａの中心側に位置する端部が、写真画像４１と写真周辺画像４２との境界線４３として判定される。
【００８０】
次に、境界線判定部１９によって判定された境界線４３に基づいて、周縁算出部１８により、写真画像４１の周縁４４が算出される。この場合、境界線４３に基づいて周縁を算出する方法が特に限られることはなく、判定されている境界線４３の数、形状または配置などに応じて、適切な方法が用いられる。例えば図１０に示す例においては、４つの境界線４３により、矩形状の写真画像４１の頂点がそれぞれ特定される。このため、各頂点を直線で結ぶことにより、写真画像４１の周縁４４を算出することができる。
【００８１】
なお本実施の形態において、低反射部３５が、申請書３０Ａに貼付された矩形状の顔写真３１の四隅に対応する位置に形成されている例を示した。しかしながら、これに限られることはなく、低反射部３５は、申請書３０Ａに貼付された矩形状の顔写真３１の四隅のうち少なくとも二隅に対応する位置に形成されていればよい。
例えば、図１１Ａ（ａ）に示すように、低反射部３５が、矩形状の顔写真３１の四隅のうち三隅に対応する位置に形成されていてもよい。または図１１Ａ（ｂ）に示すように、低反射部３５が、矩形状の顔写真３１の四隅のうち隣り合う２隅に形成されていてもよい。若しくは図１１Ａ（ｃ）に示すように、低反射部３５が、矩形状の顔写真３１の四隅のうち対角の２隅に形成されていてもよい。
これらの場合、はじめに、周縁特定手段１７の境界線判定部１９により、写真画像４１と写真周辺画像４２との間の境界線が判定されるとともに、境界線の交点に基づいて写真画像４１の２つまたは３つの頂点が判定される。次に、写真画像４１の頂点に関する情報と、顔写真３１の形状情報とに基づいて、周縁算出部１８により、写真画像４１の周縁４４が算出される。より具体的には、顔写真３１の形状が、申請書３０に貼付される顔写真３１の寸法として指定されている定型の長方形であることが考慮された上で、写真画像４１の頂点に関する情報に基づいて、周縁算出部１８により写真画像４１の周縁４４が算出される。
【００８２】
また本実施の形態において、低反射部３５が、申請書３０Ａに貼付された矩形状の顔写真３１の四辺のうち少なくとも隣り合う二辺に対応する位置に形成されていてもよい。
例えば、図１１Ｂ（ａ）（ｂ）に示すように、低反射部３５が、矩形状の顔写真３１の四辺に対応する位置に形成されていてもよい。または、図１１Ｂ（ｃ）に示すように、低反射部３５が、矩形状の顔写真３１の四辺のうち隣り合う二辺に対応する位置に形成されていてもよい。または図１１Ｂ（ｄ）に示すように、低反射部３５が、矩形状の顔写真３１の四辺のうち３辺に形成されていてもよい。
これらの場合、はじめに、周縁特定手段１７の境界線判定部１９により、写真画像４１と写真周辺画像４２との間の境界線が判定される。次に、写真画像４１と写真周辺画像４２との間の境界線に関する情報と、顔写真３１の形状情報とに基づいて、周縁算出部１８により、写真画像４１の周縁４４が算出される。より具体的には、顔写真３１の形状が、申請書３０に貼付される顔写真３１の寸法として指定されている定型の長方形であることが考慮された上で、写真画像４１と写真周辺画像４２との間の境界線に関する情報に基づいて、周縁算出部１８により写真画像４１の周縁４４が算出される。
【００８３】
また本実施の形態または本実施の形態の変形例において、矩形状の顔写真３１の四隅のうち少なくとも二隅に対応する位置、または四辺のうち少なくとも隣り合う二辺に対応する位置に形成された低反射部３５が、申請書３０Ａの透過部３２と搬送路１１の艶消し面１１ａとの組合せにより形成される例を示した。
しかしながら、これに限られることはなく、図６Ｂに示す第１の実施の形態の変形例の場合と同様に、申請書３０の透過部３２と、搬送路１１の貫通孔（図示せず）との組合せにより低反射部３５が形成されていてもよい。
または、図６Ａ（ｃ）に示す第１の実施の形態の変形例の場合と同様に、申請書３０の艶消し部３６により低反射部３５が形成されていてもよい（図１１Ｃ（ａ）（ｂ）参照）。この場合、搬送路１１における光反射率に依らず、申請書３０Ａに低反射部３５を形成することができる。
【符号の説明】
【００８４】
１０    ＩＤカード作成装置
１０Ａ  ＩＤカード作成装置
１１    搬送路
１１ａ  搬送路の艶消し面
１１ｂ  搬送路の貫通孔
１２    撮像手段
１３    撮像部
１４    照明部
１５    ガンマ調整部
１７    周縁特定手段
１８    境界線判定部
１９    周縁算出部
２１    印刷手段
２２    プリンタ
２３    データ処理部
２５    番号読取手段
２５ａ  ＯＣＲリーダ
２５ｂ  解読部
２７    スキャナー
２８    申請書バケット
２９    申請書トレイ
３０    申請書
３０Ａ  申請書
３１    顔写真
３２    透過部
３２ａ  透過性シート
３３ａ  個人情報
３３ｂ  ＩＤ番号
３４    穴
３４ａ  貫通部分
３５    低反射部
３６    艶消し部
３８    傾斜板
３８ａ  反射防止材
４０    広域画像
４０ａ  二値化された広域画像
４０ｂ  外縁
４１    写真画像
４１ａ  写真暗部に対応する黒化領域
４２    写真周辺画像
４２ａ  低反射部に対応する黒化領域
４２ｂ  内縁
４３    境界線
４４    周縁
４５    広域画像
４５ａ  二値化された広域画像
４７ａ  低反射部に対応する黒化領域
４８    境界線
４９    周縁
６０    ＩＤカード
【図１】
2011148111.tif 000005
【図２】
2011148111.tif 000006
【図３】
2011148111.tif 000007
【図４】
2011148111.tif 000008
【図５Ｂ】
2011148111.tif 000009
【図６Ａ】
2011148111.tif 000010
【図６Ｂ】
2011148111.tif 000011
【図７】
2011148111.tif 000012
【図９】
2011148111.tif 000013
【図１１Ａ】
2011148111.tif 000014
【図１１Ｂ】
2011148111.tif 000015
【図１１Ｃ】
2011148111.tif 000016
【図５Ａ】
2011148111.tif 000017
【図８】
2011148111.tif 000018
【図１０】
2011148111.tif 000019